【事件の表示】
　特願２００２−５９１８０８「自動化されたプロセス制御物品検査アプリケーションの中でスナップショット動作熱赤外線イメージングを提供するための装置および方法」拒絶査定不服審判事件〔平成１４年１１月２８日国際公開，ＷＯ０２／９５３８２，平成１６年　９月２４日国内公表，特表２００４−５２９３５９〕について，次のとおり審決する。
【結　論】
　本件審判の請求は，成り立たない。
【理　由】
第１　手続の経緯
　本願は，平成１４年５月２１日（パリ条約による優先権主張　平成１３年５月２１日，米国）を国際出願日とする出願であって，平成２０年１月１５日付けで拒絶理由通知書が出され，同年７月２２日に手続補正がなされたが，同年８月１９日付けで拒絶査定され，これに対して，同年１１月２５日付けで拒絶査定不服審判の請求がされるとともに，同年１２月２５日付けで手続補正（以下，「本件補正」という。）がなされたものである。
　
第２　本件補正について
　本件補正により，特許請求の範囲は，本件補正前の
「【請求項３０】
　自動化されたプロセス制御物品検査アプリケーションの中でスナップショット動作熱赤外線イメージングを提供するための方法であって，
　エレクトロニクス制御モジュールによって提供される画像取得制御信号に基づく鉛塩ベースのイメージャーの全ピクセル部位内に熱赤外線信号を同時に集積するステップと，
　前記ピクセル部位集積に基づく２次元赤外線空間画像またはデータセットをプロセッサーに供給するステップと，
　前記２次元赤外線空間画像またはデータセットを検査中の部品またはプロセスに関連付けられた一組の品質に関するまたはプロセスに関する属性の状態報告として処理するステップと
からなる各ステップを有する方法。
【請求項３１】
　検査されるべき対象物を検査ゾーンまで自動的に搬送するステップをさらに有する請求項３０に記載の方法。
【請求項３２】
　欠陥のある部品と良好な部品とを区別する目的のために検査中の部品に熱エネルギーを印加するステップをさらに有する請求項３０に記載の方法。
【請求項３３】
　前記処理に基づき状態報告を生成するステップをさらに有する請求項３０に記載の方法。
【請求項３４】
　状態明言器に状態報告を提供するステップをさらに有する請求項３３に記載の方法。
【請求項３５】
　製造プロセスのパラメーターを自動的に変更するために前記状態報告を使用するステップをさらに有する請求項３４に記載の方法。
【請求項３６】
　自動化されたプロセス制御物品検査アプリケーションの中でスナップショット動作熱赤外線イメージングを提供するための方法であって，
　検査される部品またはプロセスの中の構成要素に制御された電圧または電流を印加することによって，該構成要素を付勢するステップと，
　エレクトロニクス制御モジュールによって提供される画像取得制御信号に基づく鉛塩ベースのイメージャーの全ピクセル部位内に熱赤外線信号を同時に集積するステップと，
　前記ピクセル部位集積に基づく２次元赤外線空間画像またはデータセットをプロセッサーに供給するステップと，
　前記２次元赤外線空間画像またはデータセットを検査中の部品またはプロセスに関連付けられた一組の品質に関するまたはプロセスに関する属性の状態報告として処理するステップとからなる各ステップを有する方法。
【請求項３７】
　前記処理に基づき状態報告を生成するステップをさらに有する請求項３６に記載の方法。
【請求項３８】
　状態明言器に状態報告を提供するステップをさらに有する請求項３７に記載の方法。
【請求項３９】
　製造プロセスのパラメーターを自動的に変更するために前記状態報告を使用するステップをさらに有する請求項３８に記載の方法。」
　
から，本件補正後の
　
「【請求項３０】
　自動化されたプロセス制御物品検査アプリケーションの中でスナップショット動作熱赤外線イメージングを提供するための方法であって，
　エレクトロニクス制御モジュールによって提供される画像取得制御信号に基づく鉛塩ベースのイメージャーの全ピクセル部位内に熱赤外線信号を同時に集積するステップと，
　前記ピクセル部位集積に基づく２次元赤外線空間画像またはデータセットをプロセッサーに供給するステップと，
　前記２次元赤外線空間画像またはデータセットを検査中の部品またはプロセスに関連付けられた一組の品質に関するまたはプロセスに関する属性の状態報告として処理するステップとからなる各ステップを有する方法。
　　【請求項３１】
　検査されるべき対象物を検査ゾーンまで自動的に搬送するステップをさらに有する請求項３０に記載の方法。
　　【請求項３２】
　欠陥のある部品と良好な部品とを区別する目的のために検査中の部品に熱エネルギーを印加するステップをさらに有する請求項３０に記載の方法。
　　【請求項３３】
　自動化されたプロセス制御物品検査アプリケーションの中でスナップショット動作熱赤外線イメージングを提供するための方法であって，
　検査される部品またはプロセスの中の構成要素に制御された電圧または電流を印加することによって，該構成要素を付勢するステップと，
　エレクトロニクス制御モジュールによって提供される画像取得制御信号に基づく鉛塩ベースのイメージャーの全ピクセル部位内に熱赤外線信号を同時に集積するステップと，
　前記ピクセル部位集積に基づく２次元赤外線空間画像またはデータセットをプロセッサーに供給するステップと，
　前記２次元赤外線空間画像またはデータセットを検査中の部品またはプロセスに関連付けられた一組の品質に関するまたはプロセスに関する属性の状態報告として処理するステップとからなる各ステップを有する方法。
【請求項３４】
　前記処理に基づき状態報告を生成するステップをさらに有する
請求項３０または３３
【請求項３５】
　状態明言器に状態報告を提供するステップをさらに有する
請求項３４
【請求項３６】
　製造プロセスのパラメーターを自動的に変更するために前記状態報告を使用するステップをさらに有する
請求項３５
と補正された。（なお，下線は補正箇所を示す。）
　
（１）補正の目的について
ア．補正事項１
　補正前の請求項３４及び３５を削除するものであって，平成１８年法律第５５号改正附則第３条第１項によりなお従前の例によるとされる同法による改正前（以下，「平成１８年改正前」という。）の特許法第１７条の２第５項第１号に規定する請求項の削除に該当するものである。
　
イ．補正事項２
　補正前の請求項３６を新たに請求項３３として繰り上げ，かかる請求項の繰り上げに伴い，補正後の請求項３５及び３６の引用請求項の番号を「
請求項３４
請求項３５
　
ウ．補正事項３
　補正前の「【請求項３３】　前記処理に基づき状態報告を生成するステップをさらに有する請求項３０に記載の方法。・・・」
及び
「【請求項３７】
　前記処理に基づき状態報告を生成するステップをさらに有する請求項３６に記載の方法。」を，「【請求項３４】　前記処理に基づき状態報告を生成するステップをさらに有する
請求項３０または３３
　
（２）小括
　以上のことから，本件補正は，平成１８年改正前の特許法第１７条の２第４項に規定する補正の目的を満たすものであり，適法な補正といえる。
　
第３　本願発明
　本件補正は上記したように適法な補正といえるから，本願請求項１〜３６に係る発明は，本件補正により補正された明細書及び図面の記載からみて，その特許請求の範囲請求項１〜３６に記載されたとおりのものと認められる。
　そして，その請求項１に係る発明（以下，「本願発明」という。）は次の事項により特定されるものである。
「【請求項１】
スナップショットモードの画像取得をサポートすべく構成された鉛塩ベースの熱赤外線イメージャーと，
　部品またはプロセスのスナップショットモードの画像取得をサポートすべく構成された画像取得ゾーンと，
　前記イメージャーによって生成される２次元赤外線空間画像または２次元赤外線空間データセットを，画像取得ゾーン内の部品またはプロセスに関連付けられた品質に関する，
またはプロセスに関する属性の特定のセットとして状態報告するような方法で，前記イメージャーの出力を受信し且つ処理すべく構成されたイメージプロセッサーと，
　当該システム内に画像取得制御信号を供給すべく構成された制御エレクトロニクスモジュールとを具備する，自動化されたプロセス制御物品検査アプリケーションの中でスナップショット動作熱イメージングを提供するためのシステム。」　
　
第４　刊行物記載の発明
　原査定の拒絶の理由に引用され，本願優先権主張日前に頒布された刊行物である特開平１０−３１８９５５号公報（以下，「刊行物１」という。）には，図面と共に次の事項が記載されている。なお，下線は当審にて付記したものである。
　
（１−１）「【要約】【課題】
樹脂製容器（ボトル）に内容物を充填し，アルミシール（中蓋）をいれた外蓋をこれに装着し
【解決手段】高周波誘導加熱処理に引き続いて前記キャップ上面を
赤外線熱画像カメラで撮影し，得られた赤外線画像の形状または熱画像を処理して得たヒストグラムに基づいてアルミシールの良否を判定する
　
（１−２）「【０００９】【課題を解決するための手段】本発明者は，前項記載の目的を達成すべく鋭意研究の結果，
樹脂製容器開口部ドーナツ形状上縁にアルミシール中蓋をいれた蓋（外蓋）を装着し，高周波シーラー下を通過させ，アルミシール積層材を非接触加熱し，そのうちの下層の熱溶融性樹脂を容器口部ドーナツ形上縁に融着させる際，アルミシール箔部で発生した熱が該ドーナツ形状の溶融部つまりシール状況を外蓋を通してその外側表面に伝わるが，熱伝導された様子を赤外線カメラにて赤外線の熱画像として非接触で取り込み，これを画像検査処理装置にて上蓋外表面の温度分布をカラーで再現し，この形状と解析したデータからアルミシールが良好な状態で接着されたか否かを容易に判別できることを見出し
　
（１−３）「【００１５】本発明の特徴は高周波発振により金属片（アルミニウム箔）に発生した熱により，該金属片下面に積層された合成樹脂成形部材の一部が溶融し，樹脂製容器口部のドーナツ形上縁がシールされた際発生した熱を，外蓋裏天面を通して
外蓋外側上面に熱伝導された熱分布を上部より赤外線熱画像カメラ
赤外線熱画像データを処理して外蓋外側上面の温度分布をカラー表示
データ処理
　
（１−４）「【００１８】ドーナツの形状は樹脂製容器口部が円形であるにも拘わらず，実際生産工程で本発明を実施した場合，画面上では楕円形に映し出される。これは樹脂製容器の熱溶着シールが作動するベルトコンベア上で行われることに起因する。つまり，樹脂製容器は常に一定速度で移動しているので移動方向に押しつぶされた形状の楕円形ドーナツとして画面上に表れるためである。しかしながらこの楕円形の映像であっても解析また肉眼による判断に支障を及ぼすことはない。」
　
（１−５）「【００２７】コンベアの移動が速くてラインスピード（ボトル／分）が大きいときは，このような速度でも先に説明した上蓋上面の温度分布をよくキャッチできるような高速熱画像解析装置を採用するとよいことはいうまでもない。」
　
（１−６）「【００２０】
その画像
が良好にシールされた製品（良品）の画像
と照合して一致しないためにシール不良と判定された製品（不良品）
不良品の場合はディプレイ上にNo Goodと表示させるようにしておいて，No Goodと表示
　
（１−７）図３には，赤外線カメラから信号が画像検査処理装置に入力され，該画像検査処理装置から不良品排除装置・警報装置に出力がされている状態が図示されている。
　
（１−８）「【００１７】つまり，
図２に示すようなきれいなドーナツの形が観察された場合
ドーナツ型画像
　
（１−９）図２には，ドーナッツ型の画像が図示されている。
　
　
　以上の事項から，刊行物１には次の発明（以下，「刊行物１発明」という。）が記載されていると認められる。
「赤外線熱映像カメラと，
　ベルトコンベア上で移動する樹脂製容器の外蓋外側上面を撮影して，高周波シーラーを通過させた際に融着されたアルミシール中蓋を含む赤外線熱画像を取得すべく，赤外線熱映像カメラを配置し，
　前記赤外線熱映像カメラから取り込まれた赤外線熱画像をデータ処理して，樹脂製容器開口部ドーナツ形状上縁に設けたアルミシール中蓋が良好な状態で接着されたか否か判別し，不良品の場合には，ディスプレイにNo Goodと出力する画像検査処理装置とを具備し，
　アルミシール中蓋検査の中で，赤外線熱画像を提供するための非接触検査装置」
　
第５　対比
　本願発明と刊行物１発明を対比する。
１．スナップショットとは，株式会社岩波書店 広辞苑第六版によれば「(速射の意)　動く被写体を手早く撮影すること。特に，相手に気づかれないように自然な状態を撮ること。また，その写真。スナップ写真。早撮り写真。」とされている。
　他方，刊行物１発明は，ベルトコンベア上を移動する樹脂製容器を撮影するものであって，摘記事項（１−４）に「ドーナツの形状は樹脂製容器口部が円形であるにも拘わらず，実際生産工程で本発明を実施した場合，画面上では楕円形に映し出される。これは樹脂製容器の熱溶着シールが作動するベルトコンベア上で行われることに起因する。」と記載のように，画像が楕円形に変形する程の移動速度で撮影されるものである。そして，刊行物１発明においては，摘記事項（１−８）及び（１−９）に記載のような，ドーナッツ型画像が取得されていることが読み取れる。
　しかし，刊行物１発明においては，動画として画像が取得されているのか，静止画，すなわち，スナップショットとして画像が取得されているのか刊行物１には明記されていない。
　そして，刊行物１発明の「赤外線熱映像カメラ」は，素子が如何なる素材からなるかも特定されていない。
　そうすると，刊行物１発明の「赤外熱映像カメラ」と，本願発明の「スナップショットモードの画像取得をサポートすべく構成された鉛塩ベースの熱赤外線イメージャー」とは，「画像取得をサポートすべく構成された熱赤外線イメージャー」という点で共通する。
　
２．刊行物１発明の「ベルトコンベア上で移動する樹脂製容器の外蓋外側上面を撮影して，高周波シーラーを通過させた際に融着されたアルミシール中蓋を含む赤外線熱画像を取得すべく，赤外線熱映像カメラを配置」することについて，刊行物１発明の「アルミシール中蓋」は，本願発明の「部品」に相当する。
　また，刊行物１発明の「ベルトコンベア上で移動する樹脂製容器の外蓋外側上面を撮影して，高周波シーラーを通過させた際に融着されたアルミシール中蓋を含む赤外線熱画像を取得すべく」構成することは，上記「第５　１．」に記したように，スナップショットモードの画像取得をサポートするものか不明であるものの，部品の画像取得をサポートするものであることは明らかである。
　そして，刊行物１発明の赤外線熱映像カメラは，このアルミシール中蓋を含む赤外線熱画像を取得すべく，ベルトコンベアの上に配置されるから，画像取得をサポートすべく構成された画像取得ゾーンを具備することは明白である。
　そうすると，刊行物１発明の「ベルトコンベア上で移動する樹脂製容器の外蓋外側上面を撮影して，高周波シーラーを通過させた際に融着されたアルミシール中蓋を含む赤外線熱画像を取得すべく，赤外線熱映像カメラを配置」することと，本願発明の「部品またはプロセスのスナップショットモードの画像取得をサポートすべく構成された画像取得ゾーン」とは，「部品またはプロセスの画像取得をサポートすべく構成された画像取得ゾーン」という点で共通する。
　
３．刊行物１発明の「前記赤外線熱映像カメラから取り込まれた赤外線熱画像をデータ処理」することについて，刊行物１発明においては，上記「第５　１．」で言及したように，本願発明でいうスナップショットモードの画像取得がなされているか不明であるものの，摘記事項（１−８）及び（１−９）に記載のようなドーナッツ型画像が取得されているから，本願発明の「２次元赤外線空間画像または２次元赤外線空間データセット」といえるものが取得されていることは明らかである。
　また，刊行物１発明の「樹脂製容器開口部ドーナツ形状上縁に設けたアルミシール中蓋が良好な状態で接着されたか否か判別し，不良品の場合には，ディスプレイにNo Goodと出力する画像検査処理装置」について，これと対応する本願発明の「画像取得ゾーン内の部品またはプロセスに関連付けられた品質に関する，またはプロセスに関する属性の特定のセットとして状態報告する」という特定事項は，接続詞の関係からみて，「画像取得ゾーン内の部品に関連づけられた品質に関する属性の特定のセットとして状況報告する」ものも本願発明に包含されると理解される。
　刊行物１発明においては，赤外線熱画像を取得し，この画像中のアルミシール中蓋の良又は不良を判別してNo Goodと出力するものであるから「部品に関連づけられた品質に関する属性」を報告するものといえる。そして，部品を写した赤外線熱画像，すなわち，上記した２次元赤外線空間データセットといえるものに対応して，No Goodと出力するものであるから，２次元赤外線空間データセットをNo Goodという品質に関する属性と共にセットとしてNo Goodという状態が報告されるものである。そうすると，刊行物１発明においても，本願発明の「画像取得ゾーン内の部品またはプロセスに関連付けられた品質に関する，またはプロセスに関する属性の特定のセットとして状態報告するような方法で，前記イメージャーの出力を受信し且つ処理すべく構成」することに包含されるものが具備されていることは明らかである。
　また，刊行物１発明の「画像検査処理装置」と本願発明の「イメージプロセッサー」とは，イメージを受信し且つ処理するという機能において両者は同様のものといえるから，「イメージ処理装置」という点で共通する。
　以上の事項をまとめると，刊行物１発明の「前記赤外線熱映像カメラから取り込まれた赤外線熱画像をデータ処理して，樹脂製容器開口部ドーナツ形状上縁に設けたアルミシール中蓋が良好な状態で接着されたか否か判別し，不良品の場合には，ディスプレイにNo Goodと出力する画像検査処理装置」と，本願発明の「前記イメージャーによって生成される２次元赤外線空間画像または２次元赤外線空間データセットを，画像取得ゾーン内の部品またはプロセスに関連付けられた品質に関する，またはプロセスに関する属性の特定のセットとして状態報告するような方法で，前記イメージャーの出力を受信し且つ処理すべく構成されたイメージプロセッサー」とは，刊行物１発明が上記「第５　１．」で言及した本願発明でいうスナップショットモードの画像取得がなされているか不明な点を除き，「前記イメージャーによって生成される２次元赤外線空間画像または２次元赤外線空間データセットを，画像取得ゾーン内の部品またはプロセスに関連付けられた品質に関する，またはプロセスに関する属性の特定のセットとして状態報告するような方法で，前記イメージャーの出力を受信し且つ処理すべく構成されたイメージ処理装置」という点で共通する。
　
４．本願発明でいう「アプリケーション」とは，株式会社岩波書店 広辞苑第六版によれば，「【application】(適用・応用の意)アプリケーション‐プログラムの略。コンピューターで，使用者の業務に応じて作成されたプログラム。」とされるものである。
　他方，刊行物１発明の「アルミシール中蓋検査の中で，赤外線熱画像を提供するための非接触検査装置」について，刊行物１発明においてそのようなアプリケーションが含まれているか不明であるものの，刊行物１発明は，ベルトコンベアを高速で流れる樹脂製容器を，画像検査処理装置で処理して，且つ，ディスプレイにNo Goodと出力するものであるから，アルミシール中蓋検査が自動化されており，本願発明の「自動化されたプロセス制御物品検査」に相当するものが行われていることは明白である。
　そして，上記「第５　１．」で言及したように，刊行物１発明の赤外線熱画像は，スナップショットといえるか不明である。
　そうすると，刊行物１発明の「アルミシール中蓋検査の中で，赤外線熱画像を提供するための非接触検査装置」は，本願発明の「自動化されたプロセス制御物品検査の中で動作熱イメージングを提供するためのシステム」という点で共通する。
　
　以上のことから，本願発明と刊行物１発明は，下記の一致点を有し，下記の相違点１〜相違点３で相違する。
（一致点）
「画像取得をサポートすべく構成された熱赤外線イメージャーと，
　部品またはプロセスの画像取得をサポートすべく構成された画像取得ゾーンと，
　前記イメージャーによって生成される２次元赤外線空間画像または２次元赤外線空間データセットを，画像取得ゾーン内の部品またはプロセスに関連付けられた品質に関する，
またはプロセスに関する属性の特定のセットとして状態報告するような方法で，前記イメージャーの出力を受信し且つ処理すべく構成されたイメージ処理装置を具備し，
　自動化されたプロセス制御物品検査の中で熱イメージングを提供するためのシステム」
　
（相違点）
相違点１
　熱赤外線イメージャが，本願発明では「鉛塩ベース」の素子で構成されているのに対して，刊行物１発明は，素子のベースが不明な点
　
相違点２
　本願発明が「当該システム内に画像取得制御信号を供給すべく構成された制御エレクトロニクスモジュールとを具備する」のに対して，刊行物１発明においては，制御がどのようになされているのか不明であり，
　熱赤外線イメージャが，本願発明では「スナップショットモードの画像取得をサポートすべく構成」されているのに対して，刊行物１発明では，画像は取得されているもののスナップショットモードの画像取得がなされるか不明であり，
　部品またはプロセスの画像取得をサポートすべく構成された画像取得ゾーンが，本願発明では「スナップショットモードの画像取得をサポートすべく」構成されているのに対して，刊行物１発明では，画像は取得されているもののスナップショットモードの画像取得がなされるか不明であり，
　熱イメージングを提供するためのシステムが，本願発明では「スナップショット動作イメージングを提供するためのシステム」であるのに対して，刊行物１発明では，スナップショット動作か不明である点
　
相違点３
　イメージ処理装置が，本願発明では「イメージプロセッサー」であるのに対して，刊行物１発明では，画像検査処理装置であるもののプロセッサーであるか不明であり，
　また，自動化されたプロセス制御物品検査が，本願発明では「アプリケーション」で動作するのに対して，刊行物１発明では不明な点
　
　第６　相違点についての検討
　そこで，上記相違点について順に検討する。
１．相違点１について
　ＰｂＳやＰｂＳｅ等の鉛塩ベースの赤外線検出素子は，本願明細書の段落【０００９】に「単一エレメントの鉛塩検出器，特に硫化鉛（ＰｂＳ）およびセレン化鉛（ＰｂＳｅ），は，赤外線エネルギーの検出を含む種々のアプリケーションに何十年間も用いられている。」と記載されているように，本願優先権主張日前より用いられていたものである。これを裏付けるように，ＰｂＳやＰｂＳｅ等の鉛塩ベースの赤外線イメージャは，下記刊行物Ａ〜Ｄに記載のように，本願優先権主張日前より周知の技術的事項となっていた。
　したがって，刊行物１発明において，熱赤外線イメージャとして，周知の鉛塩ベースのものを採用して，相違点１記載の本願発明の如く構成することは，当業者が容易になし得たことといえる。
　
刊行物Ａ：特開昭６１−１０２７７２号公報（第６頁左上欄７〜１３行に，赤外放射を検出するアレイの材料としてＰｂＳ及びＰｂＳｅが開示されている。）
刊行物Ｂ：特開平８−３５８８４号公報（段落【０００２】に，赤外線温度分布測定装置の材料としてＰｂＳｅが開示さている。赤外線温度分布が測定できるから赤外線イメージャといえる。）
刊行物Ｃ：特開平１１−２１４６６８号公報（段落【０００２】〜【００１５】に固体撮像装置，すなわち，イメージャの従来技術が記載されており，この内，段落【００１４】に，赤外線領域のセンサの材料としてＰｂＳが開示さている。）
刊行物Ｄ：特開平１０−５２２９号公報（段落【００２２】に，赤外線の輻射光を撮影するイメージセンサとして，ＰｂＳ等の量子型光導電のイメージセンサを用いる旨が記載されている。）
　
２．相違点２について
　搬送されている被写体の撮影タイミングを撮影位置を検知することにより電気的に制御することは，例えば下記刊行物Ｅ〜Ｇに記載されているように本願優先権主張日前より周知の技術的事項である。
　そして，撮影タイミングを撮影位置を検知することにより電気的に制御すれば，必然的に，搬送されている被写体の静止画が撮影されることとなり，上記「第５　１．」に記したスナップショット，すなわち，広辞苑でいう「動く被写体を手早く撮影する」ものが得られることとなるから，本願発明の「スナップショットモード」に相当する画像が得られるものといえる。
　そうすると，刊行物１発明において，撮影位置を検知することにより電気的に制御すべく上記周知の技術的事項を採用し，それに伴い，所定タイミングの静止画，すなわち，スナップショットモードの画像を得て，相違点３記載の本願発明の如く構成することは，当業者が容易になし得たことといえる。
　
刊行物Ｅ：特開２０００−８８７８１号公報（段落【００３１】に，「撮像位置決め手段１４からの位置検出信号を入力した位置決め制御手段１５が，撮像領域に適正に被写体が位置すると判断すると，赤外線撮像装置に動作指令信号を出力してカメラ部による撮像を開始させるように構成されることもできる。」と記載されている。）
　
刊行物Ｆ：特開平８−２９７１００号公報（段落【００１４】に，「卵１０の両サイドに取り付けた１対のセンサ２４は，卵１０の通過と同時に，トリガ発生装置２６にトリガ開始信号Ｓ１を転送する。トリガ発生装置２６は，該信号Ｓ１を受け取ると，画像撮影制御装置２８には画像撮影開始信号Ｓ２を，画像処理装置３０には画像処理開始信号Ｓ４を転送する。」と記載されれている。また、図５及び図７に、取得された２値画像が記載されている。）
　
刊行物Ｇ：特開２０００−２２７４０７号公報（段落【００３１】に，「この自動容器成形充填機１０には，前記赤外線撮像装置２が容器を撮像する撮像領域に容器を搬送する搬送手段を備え，搬送手段により容器が撮像領域に到達すると前記赤外線撮像装置２により撮像されたその容器の熱シール部を測定熱画像記憶手段３にタイミング信号を出力して撮像データを測定熱画像記憶手段３に格納させる。」と記載されている。
　
３．相違点３について
　画像の処理にプロセッサーを使用することは，本願優先権主張日前より例示するまでもなく周知の技術的事項である。
　そして，プロセッサーを採用すれば，必然的にそれを動かすプログラム，すなわち，アプリケーションが必要となる。
　よって，刊行物１発明において，画像検査処理装置を，周知のプロセッサーにより構成し，自動化されたプロセス制御物品検査をアプリケーションをもって構成することにより，相違点２記載の本願発明の如く構成することは，当業者が容易になし得たことといえる。
　
４．本願発明の作用効果について
　本願発明により奏される作用効果は，刊行物１及び上記周知の技術的事項から当業者が予測し得る範囲のものにすぎず，格別顕著なものともいえない。
　
第７　むすび
　以上のことから，本願発明は，刊行物１に記載された発明及び上記周知の技術的事項に基づいて，当業者が容易に発明をすることができたものであるから，特許法第２９条第２項の規定により，特許を受けることができないものである。
　したがって，本願は，他の請求項に係る発明について検討するまでもなく拒絶すべきものである。
　よって，結論のとおり審決する。